【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
ディスプレイデバイスであって、
基板上に形成されたインターフェロメトリックモジュレータアレイと、
バックプレートと、
前記基板と前記バックプレートとの間に配置されたシールであって、前記基板及び前記バックプレートをいっしょに密封して前記インターフェロメトリックモジュレータアレイを実装するシールと、
前記アレイの上方であって、かつ前記アレイと前記バックプレートとの間に配置された１つ以上のスペーサーであって、前記バックプレートが前記アレイに接触するのを防止するとともに、前記バックプレートまたは前記アレイに接触しない１つ以上のスペーサーと、を具備するディスプレイデバイス。
【請求項２】
前記基板は、少なくとも部分的に透明及び／又は半透明であって、前記インターフェロメトリックモジュレータは、前記基板の前記透明及び／又は半透明部分を通じて光を反射させるように構成されている、請求項１に記載のディスプレイデバイス。
【請求項３】
前記バックプレートは、凹所付きキャップを具備する、請求項１に記載のディスプレイデバイス。
【請求項４】
前記バックプレートは、ガラスのバックプレートを具備する、請求項１に記載のディスプレイデバイス。
【請求項５】
前記バックプレートは、乾燥剤を具備する、請求項１に記載のディスプレイデバイス。
【請求項６】
前記シールは、密封性シールを具備する、請求項１に記載のディスプレイデバイス。
【請求項７】
前記１つ以上のスペーサーは、乾燥剤を具備する、請求項１に記載のディスプレイデバイス。
【請求項８】
前記１つ以上のスペーサーは、規則的に間隔があけられている、請求項１に記載のディスプレイデバイス。
【請求項９】
前記１つ以上のスペーサーは、不規則な間隔で配置されている請求項１に記載のディスプレイデバイス。
【請求項１０】
前記インターフェロメトリックモジュレータと電気的に通じているプロセッサであって、画像データを処理するように構成されているプロセッサと、
前記プロセッサと電気的に通じているメモリデバイスと、を具備する、請求項１に記載のディスプレイデバイス。
【請求項１１】
少なくとも１つの信号を前記インターフェロメトリックモジュレータに送るように構成されたドライバ回路をさらに具備する、請求項１０に記載のディスプレイデバイス。
【請求項１２】
前記画像データのうちの少なくとも一部分を前記ドライバ回路に伝送するように構成されたコントローラをさらに具備する、請求項１１に記載のディスプレイデバイス。
【請求項１３】
前記画像データを前記プロセッサに伝送するように構成された画像ソースモジュールをさらに具備する、請求項１０に記載のディスプレイデバイス。
【請求項１４】
前記画像ソースモジュールは、受信機、トランシーバ、及び送信機のうちの少なくとも１つを具備する、請求項１３に記載のディスプレイデバイス。
【請求項１５】
入力データを受け取りさらに前記入力データを前記プロセッサに伝達するように構成された入力デバイスをさらに具備する、請求項１０に記載のディスプレイデバイス。
【請求項１６】
前記１つ以上のスペーサーは、印加された力に対して段階的な応答を提供するように設計された少なくとも１つのスペーサーを具備する請求項１に記載のディスプレイデバイス。
【請求項１７】
ディスプレイデバイスを製造する方法であって、
インターフェロメトリックモジュレータアレイを基板上に提供することと、
前記アレイの上方であって、かつ前記アレイとバックプレート間に１つ以上のスペーサーを配置することと、
前記基板上に前記バックプレートを密封してディスプレイデバイスを形成することであって、前記１つ以上のスペーサーは、前記バックプレートが前記アレイに接触するのを防止するとともに、前記１つ以上のスペーサーは前記バックプレートまたは前記アレイに接触しないこと、とを具備する方法。
【請求項１８】
前記基板は、少なくとも部分的に透明及び／又は半透明であって、前記インターフェロメトリックモジュレータは、前記基板の前記透明及び／又は半透明部分を通じて光を反射させるように構成されている、請求項１７に記載の方法。
【請求項１９】
前記バックプレートは、凹所付きキャップを具備する、請求項１７に記載の方法。
【請求項２０】
前記バックプレートは、ガラスのバックプレートを具備する、請求項１７に記載の方法。
【請求項２１】
前記バックプレートは、乾燥剤を具備する、請求項１７に記載の方法。
【請求項２２】
前記基板上にバックプレートを密封することは、密閉性シールを形成させる、請求項１７に記載の方法。
【請求項２３】
前記スペーサーのうちの少なくとも１つは、乾燥剤を具備する、請求項１７に記載の方法。
【請求項２４】
前記１つ以上のスペーサーは、複数の規則的な間隔で配置されたスペーサーを具備する、請求項１７に記載の方法。
【請求項２５】
前記１つ以上のスペーサーは、複数の不規則な間隔で配置されたスペーサーを具備する、請求項１７に記載の方法。
【請求項２６】
請求項１７に記載の方法によって製造されたディスプレイデバイス。
【請求項２７】
前記１つ以上のスペーサーは、印加された力に対して段階的な応答を提供するように設計された少なくとも１つのスペーサーを具備する請求項１７に記載の方法。
【請求項２８】
ディスプレイデバイスであって、
光を透過可能な透過性手段と、
前記透過性手段を透過した光を変調するための変調手段と、
前記変調手段を被覆するための被覆手段と、
パッケージを形成させるために前記透過性手段と前記被覆手段との間に配置された密封手段と、
前記変調手段及び被覆手段が前記ディスプレイデバイス内において互いに接触するのを防止するための間隔保持手段であって、前記変調手段の上方に配置されるとともに前記変調手段と前記被覆手段間に配置されており、前記変調手段または前記被覆手段に接触しない間隔保持手段と、を具備するディスプレイデバイス。
【請求項２９】
前記透過性手段は、透明な基板を具備する、請求項２８に記載のディスプレイデバイス。
【請求項３０】
前記変調手段は、インターフェロメトリックモジュレータアレイを具備する、請求項２８に記載のディスプレイデバイス。
【請求項３１】
前記被覆手段は、バックプレートを具備する、請求項２８に記載のディスプレイデバイス。
【請求項３２】
前記密封手段は、接着シールを具備する、請求項２８に記載のディスプレイデバイス。
【請求項３３】
前記間隔保持手段は、前記透過性手段上または前記被覆手段上に製作されたスペーサーを具備する、請求項２８に記載のディスプレイデバイス。
【請求項３４】
前記被覆手段は、凹所付きキャップを具備する、請求項２８に記載のディスプレイデバイス。
【請求項３５】
前記被覆手段は、乾燥剤を具備する、請求項２８に記載のディスプレイデバイス。
【請求項３６】
前記間隔保持手段は、複数の均一な間隔で配置されたスペーサーを具備する、請求項２８に記載のディスプレイデバイス。
【請求項３７】
前記間隔保持手段は、複数の不規則な間隔で配置されたスペーサーを具備する、請求項２８に記載のディスプレイデバイス。
【請求項３８】
前記間隔保持手段は、印加された力に対して段階的な応答を提供するように設計されている請求項２８に記載のディスプレイデバイス。